(57)【要約】      （修正有）【課題】軟質なサポータタイプの特性を持ちつつ、足関節の背屈状態を好適に保持し得る足関節背屈保持サポータを提供する。【解決手段】足関節背屈保持サポータＡを、足関節を覆う足関節被覆部１１と足の甲部分を覆う甲部分被覆部１２とを有したサポータ本体１と、足関節の内側部及び甲部分の内側部に添う位置に配され側面視略Ｌ字状をなす内側芯材部２１と、足の足底に添う位置に配される足底芯材部２２とを有してなり、且つ、サポータ本体１に一体的に取り付けられた剛性芯材２と、甲部分被覆部１２の外面に止着された基端止着部３１と、内側芯材部２１の少なくとも一部と足底芯材部２２の少なくとも一部を外側から被覆して支持する被覆支持部３２と、先端部に足関節被覆部１１の外面部分に着脱可能に添着し得る添着部分を設けてなる引き上げ部３３とを有した引き上げベルト３とを備えている。【選択図】図２
0003206856.tif 000002
【実用新案登録請求の範囲】
【請求項１】
使用者の足に装着される足関節背屈保持サポータであって、
前記足の足関節を覆う足関節被覆部と、この足関節被覆部に連続して設けられ前記足の甲部分を覆う甲部分被覆部とを有したサポータ本体と、
前記サポータ本体に取り付けられ、前記足関節の内側部及び前記甲部分の内側部に添う位置に配され側面視略Ｌ字状をなす内側芯材部と、この内側芯材部の前端部から延出して設けられ前記足の足底に添う位置に配される足底芯材部とを有した剛性芯材と、
前記甲部分被覆部の外面に止着された基端止着部と、この基端止着部から連設され前記内側芯材部と前記足底芯材部を外側から被覆して支持する被覆支持部と、この被覆支持部から連設され先端部に前記足関節被覆部の外面に着脱可能に添着し得る添着部分が配された引き上げ部とを有した引き上げベルトと、
を備えた足関節背屈保持サポータ。
【請求項２】
前記サポータ本体が、伸縮性のある生地を主体に構成されたものである請求項１記載の足関節背屈保持サポータ。
【請求項３】
前記剛性芯材が、前記内側芯材部及び前記足底芯材部を一体に形成した熱可塑性のプラスチックにより形成されたものである請求項１又は２記載の足関節背屈保持サポータ。
【請求項４】
前記引き上げベルトの前記添着部分と前記サポータ本体における前記足関節被覆部の外面とが、面ファスナを介して着脱可能に添着し得るものである請求項１、２又は３記載の足関節背屈保持サポータ。
【請求項５】
前記サポータ本体における前記足関節被覆部が、一方の側縁部分と他方の側縁部分とを有しており、これら一方の側縁部分の外面と他方の側縁部分の内面とが面ファスナを介して着脱可能に添着し得るものである請求項１、２、３又は４記載の足関節背屈保持サポータ。
【請求項６】
前記内側芯材部が、その上端部に幅広部分を有している請求項１、２、３、４又は５記載の足関節背屈保持サポータ。
【請求項７】
前記引き上げベルトにおける前記基端止着部及び前記被覆支持部が伸縮性の低い生地を主体に構成されており、前記引き上げベルトにおける前記引き上げ部が伸縮性の高い生地を主体に構成されている請求項１、２、３、４、５又は６記載の足関節背屈保持サポータ。
【考案の詳細な説明】
【技術分野】
【０００１】
本考案は、足関節に麻痺がある人に装着される足関節背屈保持サポータに関する。
【背景技術】
【０００２】
脳血管障害や腓骨神経麻痺等により足関節に麻痺がある人は、足の先が下方に垂れ下がった状態（下垂足）を取らざるを得ず、足の先が上方に上がった背屈状態を保持することが困難になる。従来から、歩行時につまずいたり転倒したりすることを抑制するために、足関節に麻痺がある人に装着される足関節（足首）の背屈状態を保持するための背屈保持器具が種々開発されている（例えば特許文献１参照）。
【０００３】
ところが、従来のものは、その大部分がプラスチック製や金属製の部材によって構成されている。このため、足関節の下垂を防止するものとして強度や機能性は高いものの、次のような問題点が指摘されている。
【０００４】
すなわち、従来におけるこの種のものは、（１）自分で着脱がしにくい、（２）かさばるため履ける靴が限られてしまう、（３）プラスチックや金属の擦れる音や当たる音が気になってしまう、（４）通気性が悪いため足が蒸れてしまう、（５）デザインの自由度が低く見た目が好ましいものではない、（６）比較的重い（プラスチック製で約２００ｇ、金属製で約６５０ｇの重量がある）、（７）素材が堅いため擦り傷が表出して見栄えを損ねる、（８）特に冬場は触れると冷たく感じる、（９）調整が難しく不適合率が高い、（１０）コストが嵩む材質を多く使用するため比較的高額になってしまう、といった問題点が指摘されており、使用者が装着を敬遠する場合も少なくない。
【先行技術文献】
【特許文献】
【０００５】
【非特許文献１】”大井製作所ウェブサイト”、〔ｏｎｌｉｎｅ〕、〔平成２８年５月２４日検索〕、インターネット（ＵＲＬ：ｈｔｔｐ：／／ｗｗｗ．ｏｈｉ−ｊｐ．ｃｏｍ／ｐｒｏｄｕｃｔ／ｐｒｏｓｔｈｅｔｉｃｓ＿ａｎｄ＿ｏｒｔｈｏｔｉｃｓ）
【考案の概要】
【考案が解決しようとする課題】
【０００６】
本考案は、上述した問題点を一挙に解消するためのものであり、軟質なサポータタイプの特性を持ちつつ、足関節の背屈状態を好適に保持し得る足関節背屈保持サポータを提供することにある。
【課題を解決するための手段】
【０００７】
すなわち、本考案は次の構成をなしている。
【０００８】
請求項１に記載の考案は、使用者の足に装着される足関節背屈保持サポータであって、前記足の足関節を覆う足関節被覆部と、この足関節被覆部に連続して設けられ前記足の甲部分を覆う甲部分被覆部とを有したサポータ本体と、前記サポータ本体に取り付けられ、前記足関節の内側部及び前記甲部分の内側部に添う位置に配され側面視略Ｌ字状をなす内側芯材部と、この内側芯材部の前端部から延出して設けられ前記足の足底に添う位置に配される足底芯材部とを有した剛性芯材と、前記甲部分被覆部の外面に止着された基端止着部と、この基端止着部から連設され前記内側芯材部と前記足底芯材部を外側から被覆して支持する被覆支持部と、この被覆支持部から連設され先端部に前記足関節被覆部の外面に着脱可能に添着し得る添着部分が配された引き上げ部とを有した引き上げベルトと、を備えた足関節背屈保持サポータである。
【０００９】
このようなものであれば、サポータ本体を備えたものであるため、軟質なサポータタイプの特性を持つものとなり、剛性芯材を備えたものであるため、足関節の背屈状態を好適に保持し得る足関節背屈保持サポータを提供することができるものとなる。しかも、引き上げベルトによってサポータ本体に取り付けられた剛性芯材を外側から引き上げるため足関節の背屈状態をより好適に保持することができるものとなっている。
【００１０】
請求項２に記載の考案は、前記サポータ本体が、伸縮性のある生地を主体に構成されたものである請求項１記載の足関節背屈保持サポータである。
【００１１】
このようなものであれば、サポータ本体が、使用者の足に好適にフィットし得るものとなる。
【００１２】
請求項３に記載の考案は、前記剛性芯材が、前記内側芯材部及び前記足底芯材部を一体に形成した熱可塑性のプラスチックにより形成されたものである請求項１又は２記載の足関節背屈保持サポータである。
【００１３】
このようなものであれば、剛性芯材が熱可塑性のプラスチックにより形成されたものであるため、剛性に優れるだけでなく、お湯等の加熱手段を用いて一定の温度以上に加熱すれば変形し得るものとなるため容易に再調整することができるものとなる。このようなものであれば、個々の使用者における足の状態に合わせた微妙な変形調整にも比較的柔軟に対応し得るものとなる。
【００１４】
請求項４に記載の考案は、前記引き上げベルトの前記添着部分と前記サポータ本体における前記足関節被覆部の外面とが、面ファスナを介して着脱可能に添着し得るものである請求項１、２又は３記載の足関節背屈保持サポータである。
【００１５】
このようなものであれば、面ファスナを介して引き上げベルトを足関節被覆部の外面に対して位置調整可能に係わり合わせることができるため、使用者における足関節の背屈度合いを柔軟に調整し得るものとなっている。
【００１６】
請求項５に記載の考案は、前記サポータ本体における前記足関節被覆部が、一方の側縁部分と他方の側縁部分とを有しており、これら一方の側縁部分の外面と他方の側縁部分の内面とが面ファスナを介して着脱可能に添着し得るものである請求項１、２、３又は４記載の足関節背屈保持サポータである。
【００１７】
このようなものであれば、足関節被覆部における一方の側縁部分と他方の側縁部分とを面ファスナを介して位置調整可能に係わり合わせることができるため、足関節被覆部が使用者における足関節の大きさに対応させて好適に装着し得るものとなっている。
【００１８】
請求項６に記載の考案は、前記内側芯材部が、その上端部に幅広部分を有している請求項１、２、３、４又は５記載の足関節背屈保持サポータである。
【００１９】
このようなものであれば、幅広部分が足関節における上側の好適に支持できるだけでなく、装着時における持ち手部分としても好適に使用され得るものとなっている。
【００２０】
請求項７に記載の考案は、前記引き上げベルトにおける前記基端止着部及び前記被覆支持部が伸縮性の低い生地を主体に構成されており、前記引き上げベルトにおける前記引き上げ部が伸縮性の高い生地を主体に構成されている請求項１、２、３、４、５又は６記載の足関節背屈保持サポータである。
【００２１】
このようなものであれば、引き上げベルトの先端部側が伸縮性の高いものとなっているため、当該引き上げベルトの添着部分をサポータ本体の足関節被覆部に止着させやすいものとなっている。
【考案の効果】
【００２２】
以上説明したように本考案によれば、軟質なサポータタイプの特性を持ちつつ、足関節の背屈状態を好適に保持し得る足関節背屈保持サポータを提供することができるものとなる。
【図面の簡単な説明】
【００２３】
【図１】本考案の一実施形態を示す斜視図。
【図２】同実施形態における斜視図。
【図３】同実施形態における正面図。
【図４】同実施形態における左側面図。
【図５】同実施形態における底面図。
【図６】同実施形態における剛性芯材を説明するための斜視図。
【図７】同実施形態における引き上げベルトの取り付け態様等を説明するための斜視図。
【考案を実施するための形態】
【００２４】
以下、本考案の一実施形態を、図１〜７を参照して説明する。ここで、図１、及び、図７は、使用者の足Ｆに装着した状態を示している。また、図６を除き、サポータ本体１に取り付けられた剛性芯材２については、特定の便宜上、色付け表示にしてある。なお、剛性芯材２は、サポータ本体１の内部に埋め込まれた状態で縫い付けられているので、当該剛性芯材２の外面は外部に表出しないものとなっている。
【００２５】
この実施形態における足関節背屈保持サポータＡは、脳血管障害や腓骨神経麻痺等により足関節に麻痺がある使用者の足Ｆに装着されるものである。すなわち、使用者は、足Ｆの先が下方に垂れ下がった状態（下垂足）を採らざるを得ないため、この足関節背屈保持サポータＡを足に装着することにより、足Ｆの先が上方に上がった状態である背屈状態を保持することができるようになっている。
【００２６】
足関節背屈保持サポータＡは、柔軟性のある素材を主体に構成したサポータ本体１と、サポータ本体１に取り付けられた剛性芯材２と、剛性芯材２とともにサポータ本体１を上側に引き上げるための引き上げベルト３を主たる構成要素としたものである。以下詳述する。
【００２７】
サポータ本体１は、使用者における足Ｆの足関節ｆ１を覆う足関節被覆部１１と、足関節被覆部１１に連続して設けられ足Ｆの甲部分ｆ２を覆う甲部分被覆部１２とを有したものである。サポータ本体１は、その装着状態で、使用者の足Ｆにおける足関節ｆ１及び甲部分ｆ２を包囲するものである。サポータ本体１は、伸縮性のある比較的薄い生地を主体に構成されており、使用者の足Ｆにフィットし得るようになっている。サポータ本体１には、使用者の踵に対応する部位に開口部１１ｃが設けられている。
【００２８】
サポータ本体１の足関節被覆部１１は、足関節ｆ１の太さに対応して装着し得るように構成されている。すなわち、サポータ本体１は、装着時における足関節ｆ１の後側に位置する部位に、一方の側縁部分１１ａと他方の側縁部分１１ｂとを有している。そして、一方の側縁部分１１ａの外面と他方の側縁部分１１ｂの内面とが面ファスナｍを介して着脱可能に添着し得るものとなっている。他方の側縁部分１１ｂは、上下の二カ所に分かれている。このようにすることで、足関節被覆部１１は、その上部分と下部分とを、一方の側縁部分１１ａの外面に個別に添着することができるため、使用者の足関節ｆ１に好適に装着され得るものとなっている。
【００２９】
なお、一方の側縁部分１１ａと他方の側縁部分１１ｂとの間に介在した面ファスナｍは既知の構成のものである。すなわち、面ファスナｍは、一方側に多数のフック状の突起を設けた第一の面ファスナ要素と、他方側に第一の面ファスナ要素のフック状の突起と係わり合う多数のリング状の突起を設けた第二の面ファスナ要素とを備えている。つまり、足関節被覆部１１の一方の側縁部分１１ａの外面に第一又は第二の面ファスナ要素のいずれか一方が設けられており、足関節被覆部１１の他方の側縁部分１１ｂの内面に他方の面ファスナ要素が設けられている。この実施形態では、剛性芯材２における上部の外面を覆うサポータ本体１を構成する部位に第一又は第二の面ファスナ要素を設けている。
【００３０】
以上に述べたサポータ本体１に、剛性芯材２が一体的に設けられている。
【００３１】
剛性芯材２は、サポータ本体１に取り付けられ、足関節ｆ１の内側部及び足ｆの甲部分ｆ２の内側部に添う位置に配され側面視略Ｌ字状をなす内側芯材部２１と、この内側芯材部２１の前端部から延出して設けられ足Ｆにおける甲部分ｆ２の足底ｆ２１に添う位置に配される足底芯材部２２とを有したものである。内側芯材部２１は、主として足関節ｆ１の内側部に添う上下方向延出部分２１１と、主として足の甲部分ｆ２の内側部に添う前後方向延出部分２１２とを主体に構成されている。足底芯材部２２は、足底ｆ２１における前部に位置するように設定されている。剛性芯材２は、内側芯材部２１及び足底芯材部２２を一体に形成した熱可塑性を有したプラスチック（サーモプラスチック）製のものである。
【００３２】
内側芯材部２１は、上下方向延出部分２１１の上端部に幅広部分２１ａを有している。幅広部分２１ａは、足関節ｆ１の上部或いは下部の下腿部付近に位置するものであり、足関節背屈保持サポータＡを足Ｆに装着する際に、使用者が把持するための手持ち部としても利用できるものとなっている。
【００３３】
引き上げベルト３は、甲部分被覆部１２の外面に止着された基端止着部３１と、基端止着部３１から連設され内側芯材部２１と足底芯材部２２を外側から被覆して支持する被覆支持部３２と、この被覆支持部３２から連設され先端部に足関節被覆部１１の外面に着脱可能に添着し得る添着部分３３ａが配された引き上げ部３３とを有したものである。
【００３４】
基端止着部３１は、サポータ本体１における甲部分被覆部１２に縫い付けられている部分であり、甲部分被覆部１２における内側面側の外面、及び、底面側の外面に位置している。
【００３５】
被覆支持部３２は、その基端側部分から先端側部分に亘って一本の帯状をなしている。
【００３６】
引き上げ部３３は基端部側が被覆支持部３２の先端側と一体に接続しており、先端部側の添着部分３３ａが足関節被覆部１１における内側面側の外面に添着し得るようになっている。
【００３７】
この実施形態では、引き上げベルト３の添着部分３３ａとサポータ本体１における足関節被覆部１１の外面とが、面ファスナｎを介して着脱可能に添着し得るものとなっている。引き上げベルト３における基端止着部３１及び被覆支持部３２が伸縮性の低い生地を主体に構成されており、引き上げベルト３における引き上げ部３３が伸縮性の高い生地を主体に構成されている。
【００３８】
なお、面ファスナｎは既知の構成のものである。すなわち、面ファスナｎは、一方側に多数のフック状の突起を設けた第一の面ファスナ要素と、他方側に第一の面ファスナ要素のフック状の突起と係わり合う多数のリング状の突起を設けた第二の面ファスナ要素とを備えている。つまり、引き上げベルト３の添着部分３３ａに第一又は第二の面ファスナ要素のいずれか一方が設けられており、サポータ本体１における足関節被覆部１１の外面に他方の面ファスナ要素が設けられている。
【００３９】
このように、本実施形態に係る足関節背屈保持サポータＡであれば、軟質なサポータタイプの特性を持ちつつ、足関節ｆ１の背屈状態を好適に保持し得る足関節背屈保持サポータＡを提供することができるものとなる。
【００４０】
なお、本考案は、以上に詳述した実施形態に限られるものではない。
【００４１】
サポータ本体は、本実施形態に示されたものに限定されるものではない。すなわち、サポータ本体の形状や材質は、本考案の趣旨を逸脱しない範囲で、種々のものを採用することができるものである。
【００４２】
引き上げベルトとサポータ本体との添着は、面ファスナを利用するものに限られず、どのようなものであってもよい。例えば、一方にフックを設け、他方にフックが係わり合うフック係合部分を設けるようにしてもよい。
【００４３】
上述した実施形態では、サポータ本体の一方の側縁部分と他方の側縁部分とは、面ファスナを介して着脱可能に接続し得る構成をなしていたが、このようなものには限定されない。例えば、金属製や樹脂性のファスナを介して一方の側縁部分と他方の側縁部分とを着脱可能に接続し得る構成としてもよい。
【００４４】
剛性芯材は、本実施形態に示されたものに限定されるものではない。すなわち、剛性芯材の形状や材質は、本考案の趣旨を逸脱しない範囲で、種々のものを採用することができる。
【００４５】
引き上げベルトは、本実施形態に示されたものに限定されるものではない。すなわち、引き上げベルトの形状や材質は、本考案の趣旨を逸脱しない範囲で種々のものを採用することができる。
【００４６】
例えば、足だけでなく下腿にまで延出する形状や構造をなすサポータであっても、上述した足関節背屈補助サポータとしての考案の趣旨に適合するものであれば、本考案における足関節背屈補助サポータに相当するものである。
【００４７】
面ファスナは、種々の方式のものを適宜採用することができる。
【００４８】
その他、各部の具体的構成についても上記実施形態に限られるものではなく、本考案の趣旨を逸脱しない範囲で種々変形が可能である。
【符号の説明】
【００４９】
Ａ…足関節背屈保持サポータ
１…サポータ本体
２…剛性芯材
３…引き上げベルト
１１…足関節被覆部
１２…甲部分被覆部
２１…内側芯材部
２２…足底芯材部
３１…基端止着部
３２…被覆支持部
３３…引き上げ部
【図１】
0003206856.tif 000003
【図２】
0003206856.tif 000004
【図３】
0003206856.tif 000005
【図４】
0003206856.tif 000006
【図５】
0003206856.tif 000007
【図６】
0003206856.tif 000008
【図７】
0003206856.tif 000009